(57)【要約】【課題】  受像シートに代表されるような、記録画像を書換え可能なリユーザブルメディアを除菌できるリユーザブルメディアの処理方法および処理装置並びに画像形成装置を提供すること。【解決手段】  リユーザブルメディア２に記録された画像を消去又は別の画像に更新する第１処理手段２５と、リユーザブルメディア２に除菌処理を施す第２処理手段２８，２９とを含む。除菌処理後のリユーザブルメディア２に新たな画像を書き込む記録手段３２，３４，３６，３８，４０を備えても良い。【選択図】図１
2005115268.tif 000002
【特許請求の範囲】
【請求項１】
記録画像を書換え可能なリユーザブルメディアを処理するリユーザブルメディアの処理方法であって、
リユーザブルメディアに記録された画像を消去又は別の画像に更新する第１処理工程と、
上記リユーザブルメディアに除菌処理を施す第２処理工程とを含むリユーザブルメディアの処理方法。
【請求項２】
請求項１に記載のリユーザブルメディアの処理方法において、
上記第１工程では上記リユーザブルメディアに記録された画像を消去し、
上記第２工程では上記画像が消去されたリユーザブルメディアの除菌を行うことを特徴とするリユーザブルメディアの処理方法。
【請求項３】
記録画像を書換え可能なリユーザブルメディアを処理するリユーザブルメディアの処理装置であって、
リユーザブルメディアに記録された画像を消去又は別の画像に更新する第１処理手段と、
上記リユーザブルメディアに除菌処理を施す第２処理手段とを含むリユーザブルメディアの処理装置。
【請求項４】
請求項３に記載のリユーザブルメディアの処理装置において、
上記第１処理手段は上記リユーザブルメディアに記録された画像を消去する消去器であり、
上記第２処理手段は、上記リユーザブルメディアの搬送方向に関して上記消去器よりも下流の位置に設けられていることを特徴とするリユーザブルメディアの処理装置。
【請求項５】
請求項４に記載のリユーザブルメディアの処理装置において、
上記リユーザブルメディアの搬送方向に関して上記第２処理手段よりも下流の位置に、上記除菌処理後のリユーザブルメディアに新たな画像を書き込む記録手段が設けられていることを特徴とするリユーザブルメディアの処理装置。
【請求項６】
リユーザブルメディアに記録された画像を消去する第１処理手段と、
上記リユーザブルメディアに除菌処理を施す第２処理手段と、
上記除菌処理後のリユーザブルメディアに新たな画像を書き込む記録手段とを備えた画像形成装置。
【請求項７】
請求項６に記載の画像形成装置において、
上記第２処理手段は、上記リユーザブルメディアにアルコールを塗布するアルコール塗布手段と、上記リユーザブルメディアの表面を摺擦するメディア摺擦手段とを含むことを特徴とする画像形成装置。
【請求項８】
請求項７に記載の画像形成装置において、
上記アルコール塗布手段とメディア摺擦手段は同一部材からなることを特徴とする画像形成装置。
【発明の詳細な説明】
【技術分野】
【０００１】
この発明は、受像シートに代表されるような、記録画像を書換え可能なリユーザブルメディアを処理するリユーザブルメディアの処理方法および処理装置に関し、特に、リユーザブルメディアを除菌する工程または手段を含む処理方法および処理装置に関する。
【０００２】
また、この発明はリユーザブルメディアの画像を書き換える画像形成装置に関する。
【背景技術】
【０００３】
最近、受像シート上にトナーを除去可能に付着させて画像を形成する技術が提案されている。この技術によれば、受像シートの再利用が簡単にでき、紙消費量の削減が可能である。さらに、画像形成時にトナー粒子を定着しないので、定着にかかるエネルギ及び消耗品が不要であるとともに、受像シートから回収したトナーを再利用でき、ランニングコストの低減が可能である。
【０００４】
例えば、特許文献１（特開２００１−３５０３６５号公報）には、普通紙等の普通画像表示媒体及び書換え可能の可逆性画像表示媒体のいずれにでも画像形成できる画像形成装置が開示されている。
【０００５】
また、特許文献２（特開２００２−１５４７１２号公報）には、トナーを除去可能に収容できる凹部を形成した凹凸面を有する凹凸シートと、一般的なシートとの両方に画像形成を行う画像形成装置が開示されている。
【０００６】
ここで、記録画像の書換えに関するものではないが、特許文献３（特開平９−１０１６３６号公報）では、定着ローラにて印字処理の有無に拘らず、何時でも通帳に加熱制御して、加熱温度をコントロールする事で、通帳のブドウ糖球菌等の雑菌を減菌し、クリーン化を図るようにした電子写真式印字装置が提案されている。
【特許文献１】特開２００１−３５０３６５号公報
【特許文献２】特開２００２−１５４７１２号公報
【特許文献３】特開平９−１０１６３６号公報
【発明の開示】
【発明が解決しようとする課題】
【０００７】
上述の通帳と同様に、受像シートは複数の人間に繰り返し使用されることが考えられる。近年の無菌化志向の高まりにより、他人が使用した受像シートを使うことに不快感を覚える人もいる。
【０００８】
そこで、この発明の課題は、受像シートに代表されるような、記録画像を書換え可能なリユーザブルメディアを除菌できるリユーザブルメディアの処理方法および処理装置並びに画像形成装置を提供することにある。
【課題を解決するための手段】
【０００９】
上記課題を解決するため、この発明のリユーザブルメディアの処理方法は、記録画像を書換え可能なリユーザブルメディアを処理するリユーザブルメディアの処理方法であって、
リユーザブルメディアに記録された画像を消去又は別の画像に更新する第１処理工程と、
上記リユーザブルメディアに除菌処理を施す第２処理工程とを含む。
【００１０】
この発明のリユーザブルメディアの処理方法では、第１処理工程によってリユーザブルメディアに記録された画像を消去又は別の画像に更新し、第２処理工程によって上記リユーザブルメディアに除菌処理を施す。この除菌処理を施すことによってリユーザブルメディアを除菌できる。したがって、リユーザブルメディアが繰り返し使用されるときのユーザの不快感をなくすことができる。
【００１１】
なお、公知の技術では、受像シートのようなリユーザブルメディア本体に除菌剤を添加することによって除菌を行う方式もある。しかし、リユーザブルメディアは再生装置や印字装置を通して繰り返し書き換えられるものであるから、或るリユーザブルメディアが何回も書き換えられると、そのリユーザブルメディアの除菌剤の効果が低下して除菌効果が不十分になる可能性がある。これに対して、このリユーザブルメディアの処理方法では、リユーザブルメディアに記録された画像を消去又は別の画像に更新する第１処理工程とともに、上記リユーザブルメディアに除菌処理を施す第２処理工程を行う。したがって、或るリユーザブルメディアの書換え回数が増えたとしても、第２処理工程によって、そのリユーザブルメディアに対する除菌効果が影響を受けないように除菌処理を行うことができる。したがって、リユーザブルメディアの書換え回数によらず、十分に除菌を行うことができる。
【００１２】
ここで、本発明における「除菌処理」に関して次のようなことが挙げられる。
【００１３】
ｉ）  上記除菌処理は上記リユーザブルメディアに紫外線を照射する処理を含むのが望ましい。
【００１４】
ii）  上記除菌処理は上記リユーザブルメディアをオゾン雰囲気に暴露する処理を含むのが望ましい。
【００１５】
上記ｉ）ii）の場合は、除菌が乾式で行われるので、湿式の場合に比してシートを乾燥させる等の処理が不要であり、処理が簡単になる。
【００１６】
iii）  上記除菌処理は上記リユーザブルメディアにアルコールを付与する処理を含むのが望ましい。
【００１７】
この場合、除菌のための高価な設備が不要であり低コストで処理が行える。
【００１８】
iv）  上記除菌処理は、上記リユーザブルメディアにアルコールを付与（例えば塗布）するとともに、上記アルコールが付与されたリユーザブルメディアを摺擦する処理を含むのが望ましい。
【００１９】
この場合、除菌に加えて、リユーザブルメディア本体に付着した油脂や汚れ等を除去（クリーニング）することができる。したがって、リユーザブルメディアの電気的特性を改善できる。
【００２０】
また、上記リユーザブルメディアにアルコールを付与する処理と、上記アルコールが付与されたリユーザブルメディアを摺擦する処理とに、同一の部材、例えば公知のウエブローラを兼用しても良い。つまり、ウエブローラに、上記リユーザブルメディアにアルコールを付与する手段と、上記アルコールが付与されたリユーザブルメディアを摺擦する手段とを兼ねさせることができる。
【００２１】
この場合、除菌と、リユーザブルメディア本体に付着した油脂や汚れ等の除去（クリーニング）とを、簡素な構成で行うことができる。
【００２２】
ｖ）  上記除菌処理は、ヒートローラ、ハロゲンランプ、電磁波（マイクロ波・遠赤外線）等によって、上記リユーザブルメディアを加熱して除菌する処理を含むのが望ましい。
【００２３】
vi）  上記除菌処理は上記リユーザブルメディアにｐＨ調整液（４以下又は９以上）を作用させて除菌する処理を含むのが望ましい。
【００２４】
vii)  上記除菌処理は上記リユーザブルメディアに超音波を印加して除菌する処理を含むのが望ましい。
【００２５】
viii）  上記除菌処理は電気的な刺激を与えて除菌する処理を含むのが望ましい。
【００２６】
ix）  上記除菌処理を、シート状の上記リユーザブルメディアの両面に対して行うのが望ましい。
【００２７】
この場合、上記リユーザブルメディアの両面を除菌できる。
【００２８】
なお、上記リユーザブルメディアの面の形状は矩形でも他の形状でも良い。
【００２９】
また、上記リユーザブルメディアは面に対して垂直な方向に厚みを有していても良い。
【００３０】
一実施形態のリユーザブルメディアの処理方法では、上記第１工程では上記リユーザブルメディアに記録された画像を消去し、上記第２工程では上記画像が消去されたリユーザブルメディアの除菌を行うことを特徴とする。
【００３１】
この発明のリユーザブルメディアの処理装置は、記録画像を書換え可能なリユーザブルメディアを処理するリユーザブルメディアの処理装置であって、
リユーザブルメディアに記録された画像を消去又は別の画像に更新する第１処理手段と、
上記リユーザブルメディアに除菌処理を施す第２処理手段とを含む。
【００３２】
この発明のリユーザブルメディアの処理装置では、第１処理手段によってリユーザブルメディアに記録された画像を消去又は別の画像に更新し、第２処理手段によって上記リユーザブルメディアに除菌処理を施す。この第２処理手段によって除菌処理を施すことによって、リユーザブルメディアを除菌できる。したがって、リユーザブルメディアが繰り返し使用されるときのユーザの不快感をなくすことができる。
【００３３】
また、このリユーザブルメディアの処理装置では、上述のように第１処理手段によってリユーザブルメディアに記録された画像を消去又は別の画像に更新するとともに、第２処理手段によって上記リユーザブルメディアに除菌処理を施す第２処理工程を行う。したがって、或るリユーザブルメディアの書換え回数が増えたとしても、第２処理手段によって、そのリユーザブルメディアに対する除菌効果が影響を受けないように除菌処理を行うことができる。したがって、リユーザブルメディアの書換え回数によらず、十分に除菌を行うことができる。
【００３４】
一実施形態のリユーザブルメディアの処理装置では、上記第１処理手段は上記リユーザブルメディアに記録された画像を消去する消去器であり、上記第２処理手段は、上記リユーザブルメディアの搬送方向に関して上記消去器よりも下流の位置に設けられていることを特徴とする。
【００３５】
この一実施形態のリユーザブルメディアの処理装置では、上記第１処理手段をなす消去器によって、上記リユーザブルメディアに記録された画像が消去される。その後、上記リユーザブルメディアの搬送方向に関して上記消去器よりも下流の位置に設けられている上記第２処理手段によって、上記リユーザブルメディアに除菌処理が施される。
【００３６】
一実施形態のリユーザブルメディアの処理装置では、上記リユーザブルメディアの搬送方向に関して上記第２処理手段よりも下流の位置に、上記除菌処理後のリユーザブルメディアに新たな画像を書き込む記録手段が設けられていることを特徴とする。
【００３７】
「新たな画像」とは、書換え後の画像を意味する。上記第１処理手段によって消去された画像と同じ画像であっても構わない。
【００３８】
この一実施形態のリユーザブルメディアの処理装置では、上記第２処理手段によって上記リユーザブルメディアに除菌処理が施された後、上記リユーザブルメディアの搬送方向に関して上記第２処理手段よりも下流の位置に設けられている記録手段によって、上記除菌処理後のリユーザブルメディアに新たな画像が書き込まれる。
【００３９】
別の局面では、この発明の画像形成装置は、
リユーザブルメディアに記録された画像を消去する第１処理手段と、
上記リユーザブルメディアに除菌処理を施す第２処理手段と、
上記除菌処理後のリユーザブルメディアに新たな画像を書き込む記録手段とを備える。
【００４０】
この発明の画像形成装置では、第１処理手段によって、上記リユーザブルメディアに記録された画像が消去される。第２処理手段によって、上記リユーザブルメディアに除菌処理が施される。そして、記録手段によって、上記除菌処理後のリユーザブルメディアに新たな画像が書き込まれる。上記第２処理手段によって除菌処理を施すことによって、リユーザブルメディアを除菌できる。したがって、リユーザブルメディアが繰り返し使用されるときのユーザの不快感をなくすことができる。
【００４１】
また、この画像形成装置によれば、或るリユーザブルメディアの書換え回数が増えたとしても、第２処理手段によって、そのリユーザブルメディアに対する除菌効果は影響を受けないように除菌処理を行うことができる。したがって、リユーザブルメディアの書換え回数によらず、十分に除菌を行うことができる。
【００４２】
一実施形態の画像形成装置では、上記第２処理手段は、上記リユーザブルメディアにアルコールを塗布するアルコール塗布手段と、上記リユーザブルメディアの表面を摺擦するメディア摺擦手段とを含むことを特徴とする。
【００４３】
この一実施形態の画像形成装置によれば、除菌に加えて、リユーザブルメディア本体に付着した油脂や汚れ等を除去（クリーニング）することができる。したがって、リユーザブルメディアの電気的特性を改善できる。
【００４４】
上記アルコール塗布手段とメディア摺擦手段は同一部材からなるのが望ましい。この場合、除菌と、リユーザブルメディア本体に付着した油脂や汚れ等の除去（クリーニング）とを、簡素な構成で行うことができる。
【発明を実施するための最良の形態】
【００４５】
以下、この発明を図示の実施の形態により詳細に説明する。
【００４６】
図１は、本発明の一実施形態の画像形成装置１の概略構成を示している。この画像形成装置１は、リユーザブルメディアとしての表面側に凹凸を有する受像シート（以下、単に「シート」と呼ぶ。）２に記録された画像を消去し、シート２に除菌処理を施し、さらに新たな画像を記録する非定着電子写真方式の処理装置である。
【００４７】
処理対象となるシート２は、この例では図６に示すように、平坦な基材層４と、この基材層４の片面に形成された、表面側に多数の凹凸（凹部６と凸部１０）を有する表層８とからなっている。凹部６には、記録画像をなすトナー９が受容される。例えば、電子写真方式でトナー像をこの凹部６に形成すると、加熱定着しなくても実用上十分な付着強度でシートにトナーが付着する。付着したトナーは回転ブラシに電界及び磁界を作用させるなどして取り除くことができる。
【００４８】
凹凸を持つリユーザブルメディアの場合、表面が凹凸であるために、汚れや油分等が付着するとそれを除去することが難しくなる。また、表示のための機能面そのものに異物が付着することで直ちに画像劣化を招いてしまう。従って、上述のような凹凸シート２に対して除菌処理を行うことが特に効果的である。
【００４９】
シート２をなす基材層４としては、紙、合成樹脂（ポリエステル、ポリエチレンテレフタレート、ポリオレフィン（ポリプロピレン、ポリエチレン等）、ポリイミド、ポリアミド等）、これらの組み合わせなど種々の材料が使用できる。
【００５０】
凹凸を有する表層８は、一例として、合成樹脂（例えばポリエチレン、アクリル、ポリエステル等の熱可塑性樹脂）、あるいはその樹脂に酸化チタン、酸化亜鉛、シリカ、アルミナ、クレイ、タルク等の白色顔料、体質顔料などを混練した材料を基材層４上に塗布し、成形型（例えばマスターローラ）を重ねて熱プレスして形成される。凹部６は、例えば図７に示すように連続溝状に形成されているのが好適であるが、平面にドット状の凸部を形成してなる表面の平坦部分であってもよい。凹部６が連続溝状に形成される場合、凹部６は、規則的に設けられ、トナー９の平均粒径の２倍以上の幅を有しているのが望ましく、その幅が２０μｍ〜５００μｍ、深さが２０μｍ〜３００μｍであるのが好ましい。凸部１０は、その幅が凹部６の幅の５０分の１〜２分の１であるのが好ましい。凸部１０の形状は、底部よりも先端部に至るほどその幅が狭くなる形状が好ましく、また、最先端部の幅は２０μｍ以下、好ましくは１０μｍ以下であることが最も良い。
【００５１】
なお、凹凸を有する表層８は、適当な成形型に樹脂を流し込むことにより形成してもよい。また、樹脂を塗布する代わりに、樹脂フィルムを基材層に重ね、この上に成形型を重ねて熱プレスしてもよい。あるいは、レジストとして利用されるポリマーの膜を基材層上に形成し、フォトリソグラフィ技術によって形成してもよい。
【００５２】
また、シート２は、合成樹脂の単一材料で形成しても構わない。その場合、シート２の電気抵抗を制御する目的で抵抗調整剤を添加しても良い。
【００５３】
なお、シート２に好適に使用されるトナーについては、例えば特開２００１−１０９１８３号公報に詳細に説明されている。
【００５４】
図１に戻って画像形成装置１の各構成部を説明する。この画像形成装置１は、この装置の外観を形成するハウジング１２を備えている。ハウジング１２の図１において左側の壁には、積層されたシート２を支持する給紙カセット１８が着脱可能に装着されている。また、ハウジング１２の上部には、このハウジング内の搬送経路１９（２点鎖線で示す。図示しないガイド板によって構成されている。）を通して処理を受けたシート２を受ける排紙トレイ７０が設けられている。
【００５５】
ハウジング１２内には、給紙カセット１８の上方に給紙ローラ２４が配置されている。給紙カセット１８上には、複数の凹凸シート２が、凹凸面が上向きで、かつ凹凸の溝６（図７参照）が給紙方向（搬送方向）と平行になるようにして積層されている。給紙ローラ２４は、給紙カセット１８に積層された複数の凹凸シートから最上層のシート２を分離して、図１において右向き（矢印で示す。）に搬送経路１９へ供給する。
【００５６】
なお、以下の説明では、「シートの搬送方向に関して下流側」、「シートの搬送方向に関して上流側」をそれぞれ単に「下流側」、「上流側」と呼ぶ。
【００５７】
給紙カセット１８の下流側には、搬送経路１９を挟んでその上下から互いに接するように、第１処理手段または消去器としての全面クリーニングブラシ２５と対向ローラ２４とが設けられている。全面クリーニングブラシ２５と対向ローラ２４は、シート２の全幅（搬送方向と垂直な方向の幅）にわたって延びている。ブラシ２５にはシート２上のトナーの電位（マイナス電位）とは逆のプラス電位が印加されている。対向ローラ２４はアースに接地されている。対向ローラ２４は、シート２を図１において右向きに駆動できるように、時計回りに回転される。ブラシ２５は、直下の搬送経路１９を搬送されるシート２の凹凸面に当接して、シート２の凹凸面をブラシ洗浄する。これにより、凹凸面のトナーがクリーニングされる。シート２の凹凸の溝６（図１０参照）が搬送方向と平行に向けられているので、トナーが効率良くクリーニングされる。ブラシ２５は、搬送されるシート２を搬送方向と逆向きにブラッシングできるように、好ましくは時計回りに回転される。
【００５８】
全面クリーニングブラシ２５の斜め上方には、ブラシ２５上のトナーを回収するための回収ローラ２６がブラシ２５に当接して設けられている。回収ローラ２６がブラシ２５からトナーを効率良く回収できるように、回収ローラ２６とブラシ２５との間には電位差（９００Ｖ）を維持するように電圧が印加されている。さらに、この回収ローラ２６に当接して、回収ローラ２６上のトナーを回収するための金属製のブレード２７が設けられている。回収ローラ２６上のトナーはそのブレード２７により回収される。
【００５９】
ブラシ２５よりも下流側には、搬送経路１９の上下から互いに対向するように、第２処理手段としての一対の紫外線ランプ２８，２９が設けられている。紫外線ランプ２８，２９は、それらの間の搬送経路１９を搬送されるシート２の全幅にわたって延びる円筒状のものである。これらの紫外線ランプ２８，２９によって、シート２の上下から紫外線を照射する除菌処理を施す。これにより、シート２の両面全面を除菌することができる。
【００６０】
紫外線を照射する除菌処理を採用した場合、除菌が乾式で行われるので、湿式の場合に比してシートを乾燥させる等の処理が不要であり、処理が簡単になる。
【００６１】
なお、紫外線ランプ２８，２９の波長としては２５４ｎｍ、あるいは１８５ｎｍのものが良い。例えばフィリップス社のＴＵＶシリーズの紫外線ランプを使用できる。
【００６２】
紫外線ランプ２８，２９よりも下流側には、電子写真方式の記録手段として、感光体ドラム３２と、この感光体ドラム３２の周りに配置された帯電チャージャ３４、露光レーザ３６、現像器３８、転写ローラ４０、クリーニングブレード４２およびイレースランプ４４が設けられている。感光体ドラム３２は、図示しないモータによって、図１において反時計回りに回転される。帯電チャージャ３４は、コロナ帯電によって感光体ドラム３２の表面を一様に帯電する。レーザ３６は、画像情報に応じて選択的に感光体ドラム３２に光を照射し、これにより感光体ドラム３２上に潜像を形成する。現像器３８は、感光体ドラム３２に荷電性のトナーを供給し、これにより潜像を顕像化する。転写ローラ４０は、図示しない電源によってプラス電位が与えられて、現像器３８により感光体ドラム３２に供給されたトナー（マイナス電位）を、搬送経路１９に沿って搬送されるシート２に対し静電転写する。クリーニングブレード４２は、転写後に感光体ドラム３２上に残ったトナーを除去する。イレースランプ４４は、光を照射することにより感光体ドラム３２上に残った潜像を消去（除電）する。
【００６３】
感光体ドラム３２よりも下流側には、搬送経路１９を挟んでその上下から互いに接するように、シート２の凸部１０（図６参照）をクリーニングするための金属製の凸部クリーニングローラ６０と対向ローラ６２とが設けられている。凸部クリーニングローラ６０と対向ローラ６２は、それらの間の搬送経路１９を搬送されるシート２の全幅にわたって延びる円筒状のものである。
【００６４】
感光体ドラム３２と転写ローラ４０とが作るニップ部を通過して搬送されるシート２には、凸部１０にもトナーが存在する。凸部１０上にトナーが存在するとシート２の裏面や手が汚れるなどの問題が生じる。そこで、凸部クリーニングローラ６０は、静電気的にそのトナーを取り除くために設けられている。例えば、トナーがマイナス電位の場合、凸部クリーニングローラ６０に＋３００Ｖのバイアス電圧を印加するとともに、対向ローラ６２を接地する。これにより、シート２の凸部１０上のトナーのみを凸部クリーニングローラ６０に吸着する。なお、トナーの電位に応じて、凸部クリーニングローラ６０には−５００Ｖから＋５００Ｖ程度の範囲内のバイアス電圧が印加される。この例では、凸部クリーニングローラ６０は、図１において反時計回りに、シート２と接する下部がシート２の搬送方向と同じ向きでより速い速さになるように回転される。
【００６５】
凸部クリーニングローラ６０に当接して、ローラ６０上のトナーを回収するための金属製のブレード６１が設けられている。凸部クリーニングローラ６０上のトナーはそのブレード６１により回収される。
【００６６】
なお、磁性トナーを用いるのであればさらに磁力を作用させて凸部１０上のトナーを効果的に除去できる。トナーを吸着させるために、凸部クリーニングローラ６０の代わりに、突起付きローラ、回転ベルト、突起付き回転ベルトなどを採用してもよい。
【００６７】
凸部クリーニングローラ６０によってクリーニングされたシート２は、上方へ搬送され、排出ローラ対６８を通して排紙トレイ７０上に排出される。
【００６８】
このように、この画像形成装置１では、シート２に記録された画像を消去し、シート２に除菌処理を施し、その除菌処理後シート２に新たな画像を書き込み、シート２の凸部１０をクリーニングする処理を行う。この画像形成装置１による一連の処理は、制御手段としてのＣＰＵ（中央演算処理装置）９９によって制御される。このＣＰＵ９９によって、各部の動作タイミングが調整されて、各部により処理が円滑に連続する。
【００６９】
記録画像が更新されたシート２はユーザによる使用に供される。ユーザは、その記録画像が不要になると、そのシート２を給紙カセット１８にセットして、画像形成装置１に上述の一連の処理を実行させて記録画像を書換えさせることにより、何回もシート２を再利用することができる。
【００７０】
この画像形成装置１はその書換え過程でシート２に除菌処理を施すので、同じシート２が繰り返し使用されるときのユーザの不快感をなくすことができる。
【００７１】
また、除菌処理を行う紫外線ランプ２８，２９は、図１の例では、シート２の搬送方向に関して全面クリーニングブラシ２５と感光体ドラム３２との間に設けられているが、これに限られるものではない。除菌処理を行う紫外線ランプ２８，２９は、シート２の搬送方向に関して、例えば給紙ローラ２４と全面クリーニングブラシ２５との間に設けられていても良いし、凸部クリーニングローラ６０と排出ローラ対６８との間に設けられていても良い。ただし、シート２の全面を除菌することを考えると、図１の例のように全面クリーニングブラシ２５と感光体ドラム３２との間に設けるのが好ましい。
【００７２】
また、図１の例では、紫外線ランプ２８，２９を一対設けて、シート２の両面に除菌処理を施しているが、これに限られるものではない。紫外線ランプをシート２の凹凸面に対向する１本のみとして、シート２の片面のみに除菌処理を施すようにしても構わない。
【００７３】
図２は、図１中の紫外線ランプ２８，２９による紫外線照射に代えて、除菌処理を行うためにシート２をオゾン雰囲気に暴露する例を示している。なお、簡単のため、図２は画像形成装置の要部のみを示している。図１中の構成要素と同じ構成要素には同一の符号を用いている。
【００７４】
この例では、画像形成装置は、エアーポンプ８１と、界面放電方式のオゾン発生装置８２とを備えている。動作時には、エアーポンプ８１によってエアーがチューブを介してオゾン発生装置８２へ送られる。オゾン発生装置８２は、例えば五味商事株式会社製の型番ＯＺ−５０５等の市販のものであり、界面放電によってオゾンを発生させて、オゾンを含んだ空気（オゾン雰囲気）を放出する。このオゾン雰囲気はチューブ８３を介して、全面クリーニングブラシ２５と感光体ドラム３２との間を搬送されるシート２へ送られる。チューブ８３の先端にはシート２の全幅にわたって延びるスリット状の噴出し口８３ａが設けられている。シート２は、搬送されながら、この噴出し口８３ａを通して吹出されるオゾンが吹き付けられる。したがって、結果として、シート２の片面全面がオゾン雰囲気に暴露されて除菌される。
【００７５】
この例では、シート２上面にオゾンを吹き付けているが、両面から吹き付けることが好ましい。更に、シート２の側方からシート２の幅方向に沿ってオゾンを吹き付けると、ｌつの噴出し口で両面同時に除菌することが可能である。
【００７６】
図３は、図１中の紫外線ランプ２８，２９による紫外線照射に代わる、除菌処理を行うための噴霧式のアルコール塗布機構３０を示している。
【００７７】
このアルコール塗布機構３０は、アルコール７３を貯蔵したタンク７１と、エアーポンプ８１と、霧吹きの原理でアルコールを噴霧するための主チューブ８５および副チューブ８７を備えている。アルコール７３は７０％エタノール等でよい。副チューブ８７は鉛直方向に延び、タンク７１の上部を貫通している。副チューブ８７の上端は水平に延びている主チューブ８５の途中につながる一方、副チューブ８７の下端はタンク７１内のアルコール７３に浸かっている。
【００７８】
エアーポンプ８１が主チューブ８５の一端にエアーを送り込むと、主チューブ８５を通して他端のノズル部８５ａからエアーが噴出される。このとき、主チューブ８５の途中につながっている副チューブ８７内に負圧が生じて、タンク７１中のアルコール７３が副チューブ８７内に吸い上げられる。吸い上げられたアルコール７３は、エアーとともに、主チューブ８５のノズル部８５ａから霧状になって噴霧される。なお、タンク７１の上部を貫通している流通チューブ７２を通してタンク７１内に外気が入るので、タンク７１内が負圧になることはない。
【００７９】
主チューブ８５のノズル部８５ａは、図１中の全面クリーニングブラシ２５と感光体ドラム３２との間を搬送されるシート２へ向けられている。したがって、ノズル部８５ａから噴霧されるアルコールがシート２に供給されて、シート２が除菌される。
【００８０】
なお、主チューブ８５を途中で２系統に分岐してノズル部８５ａをシート２の両面に対向して１対設けることが好ましい。シート２の両面を除菌するためである。
【００８１】
この例では、アルコール塗布機構３０が比較的簡易な設備であるため、低コストで除菌処理を行える。
【００８２】
電子写真方式で画像を形成する場合、シート２が湿っていることは問題となる。そこで、除菌処理のためにアルコールを塗布する場合は、シート２の搬送方向に関してノズル部８５ａと感光体ドラム３２との間に、シート２上のアルコール７３を蒸発させるためのファン（例えば、ＤＣ（直流）ファン等）を設けるのが望ましい。
【００８３】
この例では、アルコールを塗布するために噴霧式のアルコール塗布機構３０を用いているが、インクジェット噴射式のような他の方式でアルコールを塗布しても良い。
【００８４】
また、除菌処理は、ヒートローラ、ハロゲンランプ、電磁波（マイクロ波・遠赤外線）等によって、シート２を加熱して除菌する処理であっても良いし、シート２にｐＨ調整液（４以下又は９以上）を作用させて除菌する処理であっても良い。また、除菌処理は、シート２に超音波を印加して除菌する処理であっても良いし、電気的な刺激を与えて除菌する処理であっても良い。
【００８５】
また、単独の除菌処理ではなく、オゾン雰囲気に暴露する処理と紫外線を照射する処理との組み合わせのように、複数の除菌処理を組み合わせて適用しても良い。
【００８６】
図４は、シート２にアルコールを塗布するアルコール塗布手段としてのアルコール塗布機構３０と、アルコールが塗布されたシート２の表面を摺擦するメディア摺擦手段としてのウエブローラ５２，５３を備えた例を示している。
【００８７】
この例では、図３に示したアルコール塗布機構３０に、主チューブ８５の途中（副チューブ８７の上端接続部とノズル部８５ａとの間の箇所）から別の主チューブ８６が分岐するように設けられている。そして、それら１対の主チューブ８５，８６の先端のノズル部８５ａ，８６ａが、搬送経路１９（図３における下側の搬送ローラ対５１と上側の搬送ローラ対５４との間の箇所）を鉛直方向に搬送されるシート２の両面に対向するように配置されている。シート２の両面を除菌するためである。
【００８８】
この例ではさらに、搬送経路１９のうちノズル部８５ａ，８６ａが対向する箇所とそれよりも下流側の搬送ローラ対５４との間に、搬送経路１９を挟んでその左右から互いに接するように、シート２を摺擦するためのウエブローラ５２，５３が設けられている。
【００８９】
ウエブローラ５２，５３間をシート２が通過する時、少なくともシート２が突入する時には、ウエブローラ５２，５３はシート２の搬送を促す向きに回転駆動される。すなわち、図４における右側のウエブローラ５２は時計回りに回転され、左側のウエブローラ５３は反時計回りに回転される。
【００９０】
ここで、ウエブローラ５２，５３の回転速度は、それらウエブローラ５２，５３間のニップ部がシート２の搬送速度よりも速くなるように設定される。シート２を摺擦するにはウエブローラ５２，５３のニップ部がシート２の搬送速度と異なる速さで回転することが必要であり、シート２の搬送速度より速く回転することが好ましいからである。
【００９１】
このようにして、シート２上にアルコール７３が存在する状態でシート２を摺擦するようにした場合、除菌に加えて、シート２に付着した油脂や汚れ等を除去（クリーニング）することができる。したがって、シート２の電気的特性を改善できる。
【００９２】
なお、ウエブローラ５２，５３の摺擦力が強過ぎると、ウエブローラ５２，５３がシート２の後端を上方へけりだしてしまう可能性がある。そのため、シート２の先端が下流側の搬送ローラ５４に噛み込んだ後、未だシート２がウエブローラ５２，５３間に挟まれている期間内にウエブローラ５２，５３の回転方向を逆転させてもかまわない。
【００９３】
また、ウエブローラ５２，５３を乾燥させるためにＤＣファンを設けても良い。その場合、ウエブローラ５２，５３がシート２に塗布されたアルコール５３を拭き取る効果をも奏する。したがって、シート２をクリーニングするのと同時に乾燥させることができ、電子写真方式による画像形成処理を妨げるのを防止できる。
【００９４】
図５は、シート２にアルコールを塗布する処理と、アルコールが塗布されたシート２を摺擦する処理とを、同一のウエブローラ５５，５６で行う例を示している。つまり、ウエブローラ５５，５６がアルコール塗布手段とメディア摺擦手段とを兼ねている。
【００９５】
この例では、搬送経路１９の水平部分を挟んで互いに接するように１対のウエブローラ５５，５６が設けられている。下側のウエブローラ５５の下部はアルコールタンク７５内に収容されたアルコール７３に浸かっている。
【００９６】
ウエブローラ５５，５６間をシート２が通過する前に予めウエブローラ５５，５６は回転される。下側のウエブローラ５５の回転によりアルコール７３がウエブローラ５５の表面に付着して汲み上げられ、上側のウエブローラ５６に移り、両ウエブローラ５５，５６の表面がアルコール７３で濡れた状態になる。
【００９７】
ウエブローラ５５，５６間にシート２が突入する時には、ウエブローラ５５，５６はシート２の搬送を促す向きに回転駆動される。すなわち、図５における下側のウエブローラ５５は時計回りに回転され、上側のウエブローラ５６は反時計回りに回転される。ここで、ウエブローラ５５，５６の回転速度は、図４の例に関して述べたのと同様にシート２を摺擦するために、それらウエブローラ５５，５６間のニップ部がシート２の搬送速度よりも速くなるように設定される。
【００９８】
その状態でシート２がウエブローラ５５，５６間を搬送されることでシート２の両面にアルコールが塗布されるとともに、シート２の両面が摺擦される。したがって、除菌と、シート２本体に付着した油脂や汚れ等の除去（クリーニング）とが同時に行われる。
【００９９】
このようにした場合、シート２にアルコールを付与する処理と、アルコールが付与されたシート２を摺擦する処理とに、同一のウエブローラ５５，５６で行うことができるので、装置の構成を簡素化できる。
【０１００】
なお、アルコールのくみ上げ量を規制するために、下側のウエブローラ５５に規制板を当接して設けても良い。そのようにした場合、ウエブローラ５５，５６のアルコール濡れ量が制限されるので、シート２の濡れ量を制限することができ、電子写真方式による画像形成処理を妨げるのを防止できる。
【０１０１】
以上では、シート２に記録された画像を消去する処理と、画像消去後のシート２に新たな画像を書き込む処理とを、一体の画像形成装置（ハウジング１２）内で行っている。しかし、それらの処理を別体の装置、例えば画像を消去するクリーニング装置と新たな画像を書き込むプリンタ装置とでそれぞれ行っても良い。その場合、除菌処理は、クリーニング装置とプリンタ装置とのどちら側で行っても構わない。
【０１０２】
また、非定着式画像形成用の受像シート２を処理対象とする場合について述べてきたが、書き込みやクリーニング装置を用いる他の方式のリユーザブルメディアや画像表示手段についても同様の効果が期待できる。
【０１０３】
すなわち、本発明は、シート２以外にも各種のリユーザブルメディアを処理対象にすることができる。特に、画像を消去／書換えできるように、加熱等による定着を行わない非定着式のものであれば良い。例えば、電気泳動方式のメディア、ツイストボール方式のメディア、磁気記録方式のメディア、現像剤を基板間に内包し現像剤を静電気等により移動させて表示を行う粒子移動型メディアなどが処理対象として挙げられる。
【０１０４】
また、本発明を、例えば特許文献２（特開２００２−１５４７１２号公報）に挙げた画像形成装置に適用して、一般シートには除菌処理を施さず、凹凸を有するシートのみに除菌処理を施すように切り換えても良い。
【図面の簡単な説明】
【０１０５】
【図１】この発明の一実施形態の画像形成装置の概略構成を示す図である。
【図２】上記画像形成装置における除菌処理を行う部分の変形例を示す図である。
【図３】上記画像形成装置における除菌処理を行う部分の別の変形例を示す図である。
【図４】上記画像形成装置における除菌処理を行う部分のさらに別の変形例を示す図である。
【図５】上記画像形成装置における除菌処理を行う部分のさらに別の変形例を示す図である。
【図６】上記画像形成装置の処理対象であるシートの断面を示す図である。
【図７】図６に示した凹凸を有するシートであって凹部が連続溝状に形成されているものを示す斜視図である。
【符号の説明】
【０１０６】
１  画像形成装置
２  シート
２５  全面クリーニングブラシ
２８，２９  紫外線ランプ
３０  アルコール塗布機構
３２  感光体ドラム
５２，５３，５５，５６  ウエブローラ
６０  凸部クリーニングローラ
８２  オゾン発生装置
【図１】
2005115268.tif 000003
【図２】
2005115268.tif 000004
【図３】
2005115268.tif 000005
【図４】
2005115268.tif 000006
【図５】
2005115268.tif 000007
【図６】
2005115268.tif 000008
【図７】
2005115268.tif 000009